(57)【要約】【課題】見るときの角度や方向の違いに応じて呈色状態が劇的に変化し、デザイン上の興趣と商品優位性とをより高く発揮できる情報記録媒体用のカートリッジケースを提供する。【解決手段】ディスク状の情報記録媒体１を収容する透明プラスチック製のケース体２の主面壁５の外縁部に、観察角度を変化させると色調が変化する印刷インクで、ベタ状印刷部１３を印刷により形成する。情報記録媒体１と正対する上ケース２ａの主面壁５の中央部は、情報記録媒体１を透視できる透明の窓壁１７とする。【選択図】図１
2005209260.tif 000002
【特許請求の範囲】
【請求項１】
ディスク状の情報記録媒体を収容する透明プラスチック製のケース体の主面壁の一部に、観察角度を変化させると色調が変化する印刷インクで、ベタ状印刷部が印刷により形成されていることを特徴とする情報記録媒体用のカートリッジケース。
【請求項２】
前記ケース体は、上下ケースを蓋合わせ状に接合してなるものであり、
前記上ケースの主面壁の外縁部に、前記ベタ状印刷部が形成されていて、前記情報記録媒体と正対する前記上ケースの主面壁の中央部に、該情報記録媒体を透視できる透明の窓壁が形成されている請求項１記載の情報記録媒体用のカートリッジケース。
【発明の詳細な説明】
【技術分野】
【０００１】
本発明は、ＭＤ（ミニディスク）に代表される情報記録媒体用のカートリッジケースに関する。
【背景技術】
【０００２】
この種のカートリッジケースにおいて、ケース体を見るときの角度や方向の違いに応じて呈色状態を変化させることは、例えば特許文献１に公知である。そこでは、偏光性顔料を含むプラスチックペレットを成形素材としてケース体を成形している。
【０００３】
【特許文献１】特開２００３−７０２４号公報（図１）
【発明の開示】
【発明が解決しようとする課題】
【０００４】
上記特許文献に係るカートリッジケースによれば、ケース体を見るときの角度や光の方向に違いに応じて呈色状態を多様に変化させることができるので、単色あるいは上下ケースを異なる色で成形してなる従来製品に比べて、カートリッジケースを個性化してデザイン上の興趣と商品優位性とがよく発揮される。
【０００５】
しかし、ケース体の全体に着色が施されていると、商品名や形式表示、あるいは模様などのデザイン表示に使用できるインキ色は極めて限られたものとなるため、意匠デザイン上の制約が多く、商品イメージの向上効果が不十分となりやすい。プラスチックペレットに高価な偏光性顔料を多量に含ませているため、カートリッジケースの製造コストが上昇せざるを得ない。加えてこの種のカートリッジケースでは、鏡面状のディスクを外部から視認できるようにすることで、ディスク表面に現出する虹彩模様を見せて、ハイテクノロジー製品にふさわしい雰囲気を醸し出すことが望まれるが、上記特許文献の形態では、ケース本体の全体に着色が施されているため、ディスクを外部から視認できず、このためにディスクカートリッジに高品質感を与えることができず、商品イメージの向上効果が不十分である。
【０００６】
本発明の目的は、見るときの角度や方向の違いに応じて呈色状態が劇的に変化し、従来品に比べて、デザイン上の興趣と商品優位性とをより高く発揮できる情報記録媒体用のカートリッジケースを提供することにある。そのうえで本発明の目的は、意匠デザイン上の制約を最小限として、デザイン上の興趣を効果的に発揮できるカートリッジケースを安価に提供することにある。本発明の目的は、ケース内部に収容されるディスク状の情報記録媒体を装飾要素として、カートリッジケースに緻密さや高精度さなどの高品質感を付与し、以って商品イメージの向上と、購買者に対する訴求効果の向上とを期すことにある。
【課題を解決するための手段】
【０００７】
本発明は、図１ないし図３に示すごとく、ディスク状の情報記録媒体１を収容する透明プラスチック製のケース体２の主面壁５の一部に、観察角度を変化させると色調が変化する印刷インクで、ベタ状印刷部１３が印刷により形成されていることを特徴とする情報記録媒体用のカートリッジケースである。ここで「観察角度を変化させると色調が変化する印刷インク」とは、具体的には偏光性顔料を含むインクである。透明プラスチック製のケース体２とは、完全透明だけでなく、多少の着色を有する有色透明や半透明なども含む概念である。
【０００８】
ケース体２を、上下ケース２ａ・２ｂを蓋合わせ状に接合してなるものとし、上ケース２ａの主面壁５の外縁部に、ベタ状印刷部１３を形成し、情報記録媒体１と正対する上ケース２ａの主面壁５の中央部に、該情報記録媒体１を透視できる透明の窓壁１７を形成することができる。
【発明の効果】
【０００９】
本発明では、観察角度を変化させると色調が変化する印刷インクで、透明プラスチック製のケース体２の主面壁５の一部にベタ状印刷部１３を形成したので、ケース体２を見るときの角度や光の方向の違いに応じて呈色状態を多様に変化させることができる。例えば、正面から見ると紫で、斜め方向から見ると緑というように、見る位置や方向が異なるごとに、上ケース２ａの呈色状態を変化させることができる。このように、呈色状態を劇的に変化させると、従来品に比べて、ケース体２を個性化してデザイン上の興趣と商品優位性とを発揮でき、したがって商品イメージと、購買者に対する商品の訴求効果の飛躍的な向上を図ることができる。
【００１０】
ベタ状印刷部１３のない主面壁５の部分は透明であるため、下地色の影響を受けることなく、商品名８、形式表示９、メーカー名１０、あるいは模様などの印刷表示を、適宜の色のインクを用いてケース体２の表面に施すことができる。したがって、意匠デザイン上の制約は少なく、デザイン上の興趣を効果的に得ることができる。偏光性顔料を含むプラスチックペレットを成形素材としてケース体を成形する従来形態に比べて、偏光性顔料が少量で済み、したがって安価に商品イメージの向上効果等を得ることができる。
【００１１】
上ケース２ａの主面壁５の外縁部に、ベタ状印刷部１３を形成して、情報記録媒体１と正対する上ケース２ａの主面壁５の中央部に、該情報記録媒体１を透視できる透明の窓壁１７を設けてあると、窓壁１７を介して情報記録媒体１の虹彩模様を視認できるので、情報記録媒体１を装飾要素として、カートリッジケースに緻密さや高精度さなどの高品質感を付与できる。したがって、これによっても商品イメージの向上と購買者に対する訴求効果の向上とを期すことができる。
【発明を実施するための最良の形態】
【００１２】
図１ないし図３に、この発明をミニディスク（ＭＤ）のカートリッジケースに適用した実施形態を示す。図１においてカートリッジケースは、上下ケース２ａ・２ｂを蓋合わせ状に接合したうえで、ケース内部に設けた溶着ボスを溶着して一体化してなる四角箱状のケース体２であり、該ケース体２の内部にディスク状の情報記録媒体１を収容する。上ケース２ａは、透明なポリカーボネートを射出成形してなるスケルトンケースである。下ケース２ｂは、隠蔽性を有する黒色系の染料や顔料を含むポリカーボネートを素材とする黒色ケースである。
【００１３】
図１において符号３は、上下ケース２ａ・２ｂのそれぞれの主面壁５の一側に設けられた信号読み書き用の窓４をスライド開閉するシャッターを示す。シャッター３は、断面コ字形のステンレス板材製のプレス成形品、あるいはプラスチック成形品からなり、先の窓４を閉じた状態において、ケース内部に設けたロック爪で開放不能にロック保持できる。
【００１４】
上ケース２ａの主面壁５には、シャッター３用のスライド凹部６と、インデックスラベルを張り込むための浅い凹部７とが凹み形成されている。この凹部７の底面には、ＭＤの外観デザイン上の興趣を向上し、購買者に対する訴求効果を高めることを目的として、商品名８、形式表示９、メーカー名１０などの文字表示が印刷されている。
【００１５】
図３において、符号１１は切換えピースを示しており、この切換えピース１１は、信号の読み書きを許す位置と、禁止する位置とにわたって左右方向にスライド変位できる。
【００１６】
かかるカートリッジケースにおいて、外観上の呈色状態を劇的に変化させ、購買者に強烈な印象を与えるために、上ケース２ａの主面壁５の一部に、観察角度を変化させると色調が変化するインクで、ベタ状印刷部１３をシルクスクリーン法で印刷形成する。図２に示すように、ベタ状印刷部１３は、上ケース２ａの主面壁５の表面に形成された隠蔽性を有するインクからなるプライマリー層１４と、該プライマリー層１４の表面に形成された着色層１５とからなる二層構造としてある。着色層１５の印刷インクは、偏光性顔料を含んでいる。
【００１７】
ベタ状印刷部１３は、上ケース２ａの主面壁５の外縁部に形成されており、情報記録媒体１と正対する上ケース２ａの主面壁５の中央部には、情報記録媒体１を透視できる透明の窓壁１７が設けられている。詳しくは、ベタ状印刷部１３は、スライド凹部６の形成領域を除く主面壁５の三辺および隅部に形成された外縁部１３ａと、情報記録媒体１のクランプエリアと正対する主面壁５の中央部分に略円形状に形成された中央部１３ｂと、該中央部１３ｂとスライド凹部６の反対側の一辺とを繋ぐように凹部７内に形成された矩形部１３ｃとからなり、これらベタ状印刷部１３の無い透明な地部分が窓壁１７とされている。窓壁１７は、情報記録媒体１の外直径寸法より僅かに小径の略円形に形成してあり、その周縁の一部はスライド凹部６および窓４を横切っている。
【００１８】
上記のように形成したベタ状印刷部１３によれば、例えば正面から見ると紫で、斜め方向から見ると緑というように、見る位置や方向が異なるごとに、上ケース２ａの呈色状態を変化させることができる。正面から見ると赤で、斜め方向から見ると黄というように呈色状態を変化させることもできる。これら基本色（紫と赤）は、インクに含ませる偏光性顔料の組成によって異なり、メーカーによって多数の基本色が用意してある。例えば、日本ペイント株式会社から供給されているモジョーラ（商品群名）の場合には、１２色の基本色が用意されており、各基本色毎にアンドロメダ、プレアデス、マゼランなどの商品名が付けられている。
【００１９】
上記の実施形態以外に、この発明はＭＤ以外のディスクカートリッジのディスクケース（ケース体）に適用できる。上ケースだけでなく、下ケースにもベタ状印刷部を印刷形成することができる。プラスチック材は完全透明である必要はなく、有色透明などであってもよい。
【図面の簡単な説明】
【００２０】
【図１】カートリッジケースの正面図
【図２】図１のＡ−Ａ線断面図
【図３】カートリッジケースの斜視図
【符号の説明】
【００２１】
１  情報記録媒体
２  ケース体
２ａ  上ケース
２ｂ  下ケース
５  主面壁
１３  ベタ状印刷部
１７  窓壁
【図１】
2005209260.tif 000003
【図２】
2005209260.tif 000004
【図３】
2005209260.tif 000005